(57)【要約】【課題】製品寿命を管理すること【解決手段】この電線接続器は、電源が接続される電源線と負荷が接続される負荷線とを接続する接続部と；負荷の寿命を示す寿命情報を記憶する記憶部と；電源線に電源が接続された時間を積算して積算情報を生成する積算部と；記憶部に記憶された寿命情報と積算部が生成した積算情報とを比較する比較部と；比較部の比較の結果、積算情報の値が寿命情報の値を超えた場合に報知する報知部と；を具備する。【選択図】図２
2008235113.tif 000002
【特許請求の範囲】
【請求項１】
電源が接続される電源線と負荷が接続される負荷線とを接続する接続部と；
前記負荷の寿命を示す寿命情報を記憶する記憶部と；
前記電源線に電源が接続された時間を積算して積算情報を生成する積算部と；
前記記憶部に記憶された寿命情報と前記積算部が生成した積算情報とを比較する比較部と；
前記比較部の比較の結果、前記積算情報の値が前記寿命情報の値を超えた場合に報知する報知部と；
を備えたことを特徴とする電線接続器。
【請求項２】
前記負荷の電源についての入力特性を検知して入力特性情報を生成する検知手段をさらに備え；
前記記憶部は、前記入力特性の経年変化による変化を示す特性変化情報をさらに記憶し；
前記比較部は、さらに前記入力特性情報および前記特性変化情報を比較し；
前記報知部は、前記比較の結果、前記入力特性情報が前記負荷の寿命を示す場合にさらに報知すること；
を特徴とする請求項１記載の電線接続器。
【請求項３】
前記負荷の温度を検出するセンサ部をさらに備え；
前記記憶部は、経年変化による前記負荷の温度変化を示す温度変化情報をさらに記憶し；
前記比較部は、さらに前記センサ部が検出した前記負荷の温度と前記温度変化情報の値とを比較し；
前記報知部は、前記比較の結果、前記負荷の温度が前記負荷の寿命を示す場合にさらに報知すること；
を特徴とする請求項１記載の電線接続器。
【請求項４】
前記積算部は、前記積算情報を初期化するリセット手段を備えたことを特徴とする請求項１ないし３のいずれか１項に記載の電線接続器。
【請求項５】
前記報知部は、前記報知として、前記電源線に供給される電源がオフとなった場合にランプ手段を点灯しまたは点滅することを特徴とする請求項１ないし４のいずれか１項に記載の電線接続器。
【請求項６】
前記報知部は、前記報知として、前記電源線に供給される電源がオフからオンとなった場合に所定の時間音を発することを特徴とする請求項１ないし４のいずれか１項に記載の電線接続器。
【請求項７】
前記負荷線への前記電源の供給をオンオフするスイッチ部をさらに備え；
前記報知部は、前記報知として、前記負荷線への前記電源の供給をオフとするよう前記スイッチ部を制御すること；
を特徴とする請求項１ないし４のいずれか１項に記載の電線接続器。
【請求項８】
前記電源に基づいて、前記積算部、前記比較部および前記報知部を駆動する駆動電源を生成する駆動電源部をさらに備えたことを特徴とする請求項１ないし７のいずれか１項に記載の電線接続器。
【請求項９】
前記積算部、前記比較部および前記報知部を駆動する駆動電源を生成する一次電池をさらに備えたことを特徴とする請求項１ないし７のいずれか１項に記載の電線接続器。
【請求項１０】
前記接続部、前記積算部、前記比較部および前記報知部を内蔵する筐体と；
前記筐体に配設され、前記電源線としてφ１．６〜φ２．０のＶＶＦケーブルが接続できる外部配線接続端子と；
前記筐体に配設され、前記負荷線としてφ０．８〜φ１．０のＩＶ線が接続できる器具内線接続端子と；
をさらに備えたことを特徴とする請求項１ないし９のいずれか１項に記載の電線接続器。
【請求項１１】
前記接続部、前記積算部、前記比較部および前記報知部を内蔵する筐体と；
前記筐体に配設され、前記電源線としてφ１．６〜φ２．０のＶＶＦケーブルが接続できる外部配線接続端子と；
前記筐体に配設されるとともに前記外部配線接続端子と直接電気的に接続され、外部に電源を供給する送り電源線としてφ１．６〜φ２．０のＶＶＦケーブルが接続できる送り用配線接続端子と；
前記筐体に配設されるとともに前記送り用配線接続端子と直接電気的に接続され、前記負荷線としてφ０．８〜φ１．０のＩＶ線が接続できる器具内線接続端子とをさらに備え；
前記スイッチ部は、前記送り用配線接続端子と前記器具内線接続端子との間の電気的接続を開閉することを特徴とする請求項７記載の電線接続器。
【請求項１２】
前記接続部は、前記電源線が接続される電源線端子および前記負荷線が接続される負荷線端子を備え、
前記接続部、前記積算部、前記比較部および前記報知部を内蔵する筐体と；
前記筐体に配設され、他の電線接続器の負荷線端子と一体的に接続可能な構造を有し、前記接続部の電源線端子と電気的に接続された入力端子と；
前記筐体に配設され、前記負荷線端子と電気的に接続された負荷端子と；
をさらに備えたことを特徴とする請求項１ないし９のいずれか１項に記載の電線接続器。
【請求項１３】
前記接続部は、前記電源線が接続される電源線端子および前記負荷線が接続される負荷線端子を備え、
前記接続部、前記積算部、前記比較部および前記報知部を内蔵する筐体と；
前記筐体に配設されるとともに前記電源線端子と電気的に接続され、前記電源線を接続可能な入力端子と；
前記筐体に配設され、前記負荷線端子と電気的に接続された負荷端子と；
をさらに備えたことを特徴とする請求項１ないし９のいずれか１項に記載の電線接続器。
【請求項１４】
請求項１ないし１３のいずれか１項に記載の電線接続器と；
前記負荷としての照明部と；
を備えたことを特徴とする照明装置。
【発明の詳細な説明】
【技術分野】
【０００１】
本発明は、電源線と器具内配線との中継をなす電線接続器およびこれらを備える照明装置に関する。
【背景技術】
【０００２】
照明装置は、ランプなどの発光部だけでなく、時間の経過や自ら発生する光・紫外線・熱などによって装置自身も徐々に劣化するため、器具ごとに大まかな製品寿命が設定されている。製品寿命を大幅に超過すると、故障や火災などの原因となることから、この製品寿命を監視してユーザに知らせるさまざまな技術が提案されている（特許文献１ないし３参照）。
【０００３】
例えば、特許文献１および３には、導電率や絶縁抵抗の低下などに基づいて構成部材の劣化を検知する技術が開示されている。特許文献１記載の技術によれば、部材そのものの寿命を検知することができるが、検知したときには既に寿命が到来しており、故障や災害予防の観点から検知結果を十分に活かすことができなかった。また、特許文献２には、計時手段により器具の設置からの時間経過から寿命を検知する技術が開示されている。特許文献２記載の技術によれば、製品余命をある程度予測することができるが、製品の計時を人手に頼っており、正確な寿命計測ができない場合があった。
【特許文献１】特開２００６−２３６７１１号公報
【特許文献２】特開２００６−２３６７１２号公報
【特許文献３】特開２００６−２３６７１３号公報
【発明の開示】
【発明が解決しようとする課題】
【０００４】
このように、従来の寿命監視技術によれば、検知結果を十分に活かすことができず、また正確な寿命計測ができないという問題がある。本発明はこのような課題を解決するためになされたもので、検知結果を寿命到来前に活用することができ、正確な寿命計測を可能とする電線接続器およびこれらを備える照明器具を提供することを目的としている。
【課題を解決するための手段】
【０００５】
上記した目的を達成するために、請求項１記載の発明は、電源が接続される電源線と負荷が接続される負荷線とを接続する接続部と；負荷の寿命を示す寿命情報を記憶する記憶部と；電源線に電源が接続された時間を積算して積算情報を生成する積算部と；記憶部に記憶された寿命情報と積算部が生成した積算情報とを比較する比較部と；比較部の比較の結果、積算情報の値が寿命情報の値を超えた場合に報知する報知部と；を具備している。電線線と負荷線とを接続する電線接続器においては、電線の接触部における発熱はあるものの発熱体となる部品を有さないから、例えば照明器具などの構成部品の中では最も長い寿命が期待できる。請求項１記載の発明によれば、かかる長寿命が期待できる電線接続器に記憶部と積算部と比較部と報知部を有する寿命管理手段を備えたので、組み込まれる装置の寿命を正確に管理することができる。
また、請求項１に記載された電線接続器は電源と負荷との間に照明器具とは別体で取付けられる構成であるため、器具の寿命を監視する機能がない点灯装置に対しても器具寿命を管理することができる。
【０００６】
請求項２記載の発明は、請求項１記載の発明であって、負荷の電源についての入力特性を検知して入力特性情報を生成する検知手段をさらに備え；記憶部は、入力特性の経年変化による変化を示す特性変化情報をさらに記憶し；比較部は、さらに入力特性情報および特性変化情報を比較し；報知部は、比較の結果、入力特性情報が負荷の寿命を示す場合にさらに報知すること；を特徴としている。請求項２記載の発明によれば、負荷の入力特性を検知する手段をさらに備えたので、電源供給時間（＝機器使用時間）に加えて負荷の異常（寿命による異常を含む）に基づいて組み込まれる装置の寿命を管理することができる。請求項３記載の発明は、請求項１記載の発明であって、負荷の温度を検出するセンサ部をさらに備え；記憶部は、経年変化による負荷の温度変化を示す温度変化情報をさらに記憶し；比較部は、さらにセンサ部が検出した負荷の温度と温度変化情報の値とを比較し；報知部は、比較の結果、負荷の温度が負荷の寿命を示す場合にさらに報知すること；を特徴としている。請求項３記載の発明によれば、温度を検出する手段をさらに備えたので、電源供給時間に加えて負荷の異常に基づいて組み込まれる装置の寿命を管理することができる。
【０００７】
請求項４記載の発明は、請求項１ないし３のいずれか１項に記載の発明であって、積算部は、積算情報を初期化するリセット手段を備えたことを特徴としている。請求項４記載の発明によれば、積算情報を初期化する手段をさらに備えたので、組み込まれる機器を変更した場合にも対応することができる。請求項５記載の発明は、請求項１ないし４のいずれか１項に記載の発明であって、報知部は、報知として、電源線に供給される電源がオフとなった場合にランプ手段を点灯しまたは点滅することを特徴としている。請求項５記載の発明によれば、報知手段が、電源線に供給される電源がオフとなった場合にランプ手段を点灯するので、特に負荷が照明器具などの場合にユーザが容易に認識することが可能となる。請求項６記載の発明は、請求項１ないし４のいずれか１項に記載の発明であって、報知部は、報知として、電源線に供給される電源がオフからオンとなった場合に所定の時間音を発することを特徴としている。請求項６記載の発明によれば、報知として、電源線に供給される電源がオフからオンとなった場合に所定の時間音を発するので、ユーザが容易に認識することが可能となる。請求項７記載の発明は、請求項１ないし４のいずれか１項に記載の発明であって、負荷線への電源の供給をオンオフするスイッチ部をさらに備え；報知部は、報知として、負荷線への電源の供給をオフとするようスイッチ部を制御すること；を特徴としている。請求項７記載の発明によれば、負荷線への電源供給を停止するスイッチ部をさらに備えたので、負荷の火災など災害を未然に防ぐことができる。
【０００８】
請求項８記載の発明は、請求項１ないし７のいずれか１項に記載の発明であって、電源に基づいて、積算部、比較部および報知部を駆動する駆動電源を生成する駆動電源部をさらに備えたことを特徴としている。請求項８記載の発明によれば、電源が供給される時間に基づいて負荷の監視を行うことができる。請求項９記載の発明は、請求項１ないし７のいずれか１項に記載の発明であって、積算部、比較部および報知部を駆動する駆動電源を生成する一次電池をさらに備えたことを特徴としている。請求項９記載の発明によれば、一次電池を備えたので、供給される電源への負担をかけずに負荷の監視を行うことができる。請求項１０記載の発明は、請求項１ないし９のいずれか１項に記載の発明であって、接続部、積算部、比較部および報知部を内蔵する筐体と；筐体に配設され、電源線としてφ１．６〜φ２．０のＶＶＦケーブルが接続できる外部配線接続端子と；筐体に配設され、負荷線としてφ０．８〜φ１．０のＩＶ線が接続できる器具内線接続端子と；をさらに備えたことを特徴としている。請求項１０記載の発明によれば、組み込まれる機器へ容易に設置することができる。
【０００９】
請求項１１記載の発明は、請求項７記載の発明であって、接続部、積算部、比較部および報知部を内蔵する筐体と；筐体に配設され、電源線としてφ１．６〜φ２．０のＶＶＦケーブルが接続できる外部配線接続端子と；筐体に配設されるとともに外部配線接続端子と直接電気的に接続され、外部に電源を供給する送り電源線としてφ１．６〜φ２．０のＶＶＦケーブルが接続できる送り用配線接続端子と；筐体に配設されるとともに送り用配線接続端子と直接電気的に接続され、負荷線としてφ０．８〜φ１．０のＩＶ線が接続できる器具内線接続端子とをさらに備え；スイッチ部は、送り用配線接続端子と器具内線接続端子との間の電気的接続を開閉することを特徴としている。請求項１１記載の発明によれば、組み込まれる機器が寿命等となって負荷への電源供給が停止された場合でも、他の機器への電源供給を維持することができる。請求項１２記載の発明は、請求項１ないし９のいずれか１項に記載の発明であって、接続部は、電源線が接続される電源線端子および負荷線が接続される負荷線端子を備え、接続部、積算部、比較部および報知部を内蔵する筐体と；筐体に配設され、他の電線接続器の負荷線端子と一体的に接続可能な構造を有し、接続部の電源線端子と電気的に接続された入力端子と；筐体に配設され、負荷線端子と電気的に接続された負荷端子と；をさらに備えたことを特徴としている。請求項１２記載の発明によれば、一般的な電源端子台に接続可能としたので、組み込まれる機器に容易に設置することができる。
【００１０】
請求項１３記載の発明は、請求項１ないし９のいずれか１項に記載の発明であって、接続部は、電源線が接続される電源線端子および負荷線が接続される負荷線端子を備え、接続部、積算部、比較部および報知部を内蔵する筐体と；筐体に配設されるとともに電源線端子と電気的に接続され、電源線を接続可能な入力端子と；筐体に配設され、負荷線端子と電気的に接続された負荷端子と；をさらに備えたことを特徴としている。請求項１３記載の発明によれば、一般的な電源端子台とともに使用可能としたので、組み込まれる機器に容易に設置することができる。請求項１４記載の発明は、請求項１ないし１３のいずれか１項に記載の電線接続器と；負荷としての照明部と；を備えたことを特徴としている。請求項１４記載の発明によれば、機器の寿命管理を適切に行うことができる。
【発明の効果】
【００１１】
請求項１ないし３記載の発明によれば、製品寿命を正確に管理することができる。請求項４記載の発明によれば、汎用性のある寿命管理を実現できる。請求項５および６記載の発明によれば、機器の寿命到来をユーザが容易に認識することができる。請求項７記載の発明によれば、災害を未然に防ぐことができる。請求項８記載の発明によれば、簡易な構成で寿命管理を行うことができる。請求項９記載の発明によれば、電源への負担を抑えることができる。請求項１０、１２および１３記載の発明によれば、組み込まれる機器に容易に設置することができる。請求項１１記載の発明によれば、他の機器への影響をなくすことができる。請求項１４記載の発明によれば、機器の寿命管理を適切に行うことができる。
【発明を実施するための最良の形態】
【００１２】
照明装置などの電気器具においては、その設置の省力化のため、特別な工具を用いずに電線同士を接続する電線接続器が用いられている。電線接続器は、例えば装置外部からの電源線と、器具内配線とを電気的に接続する電源端子台であり、絶縁被覆を剥ぎ取った線材同士をワンタッチで接続することができる。本発明は、この電線接続器を通過する電源電圧や電流、さらには電線接続器の周囲の環境に基づいて、製品寿命を検知している。
【００１３】
以下、本発明の一つの実施形態を、図面を参照して詳細に説明する。図１は本発明の第１の実施形態に係る照明装置の構成を示す図である。
【００１４】
図１中、１は例えば天井側に埋め込んで設置される蛍光灯照明器具を示し、この器具１は、下面が開放されたシャーシ１１を備えている。このシャーシ１１の長手方向両端部にそれぞれ一対のランプソケット１２が取付けられていて、シャーシの長手方向に対向するランプソケット１２にわたって直管形の蛍光ランプ１３が取付けられている。
【００１５】
シャーシ１１の内側には、両蛍光ランプ１３間に位置して電源端子台２０が取付けられているとともに、例えば電子安定器からなる点灯装置等（図示せず）が取付けられている。電源端子台２０には、シャーシに設けられた電源線引込み孔を通って天井裏からシャーシ１１内に引込まれる図示しない電源線が接続される。さらに、電源端子台２０は、図示しない負荷線（器具内配線）を介して点灯装置に接続されるとともに、図示しない負荷線を介してシャーシ１１の長手方向一端側のランプソケット１２に接続される。また、点灯装置は図示しない更に他の負荷線を介してシャーシ１１の長手方向他端側のランプソケット１２に接続される。
【００１６】
次に、図２ないし図４を参照して、この実施形態に係る電線接続器としての電源端子台について詳細に説明する。図２は、この実施形態に係る電源端子台２０の外観を示す斜視図、図３は、この実施形態に係る電源端子台２０の電源系の回路構成を示す模式図、図４は、この実施形態に係る電源端子台２０の機能構成を示すブロック図である。
【００１７】
図２に示すように、この実施形態の電源端子台２０は、一つの側面に段部を有する略直方体形状の筐体を有している。電源端子台２０の上面には、外部からの電源を供給する電源線を接続する一対の電源線端子２１、および器具１と異なる他の器具（図示せず）への電源を供給する送り電源線を接続する一対の送り電源線端子２２が備えられている。また、電源端子台２０の上面で突出した領域には、アース線を接続する一対のアース線端子２４が備えられている。さらに、電源端子台２０の段部を有する側面と隣接し送り電源線端子２２側の側面には、器具１内の負荷（点灯装置等）に電源を供給する負荷線を接続する二対の負荷線端子２３が備えられている。
【００１８】
一対の電源線端子２１、送り電源線端子２２およびアース線端子２４に挟まれる領域には、これらに接続される線材を固定状態から解除するためのリリーススイッチが配設されている。電源線端子２１、送り電源線端子２２、負荷線端子２３およびアース線端子２４は、これらに端部の被服を剥いだ線材を直接差し込むと線材が固定されて電気的に接続されるように構成されている。差し込まれた線材は、リリーススイッチ２５を押下することで固定が解除されて抜き出し可能となる。
【００１９】
図３に示すように、この実施形態の電源端子台２０では、電源線端子２１は、例えば短冊状銅板などからなる導線２６により負荷線端子２３と電気的に接続されている。電源線端子２１と負荷線端子２３との間の導線２６上には、送り電源線端子２２が電気的に接続されている。電源線端子２１は、図示しないスイッチなどを介して、例えば商用電源などの電源３０と接続される。負荷線端子２３は、負荷線を介してインバータやランプなどの器具１内の負荷と電気的に接続される。すなわち、電源３０から電源線を介して電源線端子２１に電源が印加されると、送り電源線端子２２を介して負荷線端子２３に電源が供給される。負荷線端子２３に供給された電源は、負荷線を介して負荷３２に供給される。
【００２０】
負荷線端子２３には、定電圧電源部３４が電気的に接続されており、負荷線端子２３に電源が供給されると、定電圧電源部３４にも電源が供給される。定電圧電源部３４は、器具１の寿命を検知しユーザに告知する監視部３６に電源を供給する電源である。監視部３６は、電源端子台２０周辺の環境状態などから照明器具１の寿命を検知してユーザに知らせる機能を有している。なお、定電圧電圧電源部３４は、電源３０から導線２６を介して供給される電源ではなく、例えば一次電池などにより監視部３６の起動電源を生成してもよい。
【００２１】
電源線端子２１および送り電源線端子２２は、電源３０からの電源が直接供給される電源線や送り電源線が接続されるため、例えば、端部の被覆を剥ぎ取ったφ１．６〜φ２．０のＶＶＦケーブルなどをワンタッチで固定かつ電気的に接続可能な構成となっている。他方、負荷線端子２３は、組み込まれる照明機器の負荷に対する電源を供給するため、例えば、端部の被覆を剥ぎ取ったφ０．８〜φ１．０のＩＶ線などをワンタッチで固定かつ電気的に接続可能な構成となっている。
【００２２】
このように、この実施形態に係る電源端子台２０は、電源線端子２１に電源が供給されると、送り電源線端子２２および負荷線端子２３の順に電源が供給され、負荷線端子２３に供給された電源は定電圧電源部３４にも供給される。したがって、定電圧電源部３４や負荷３２の電源入力に不具合が発生した場合でも、その上流である送り電源線端子２２には安定した電源を供給することが可能となる。
【００２３】
図４に示すように、監視部３６は、クロック部４１、カウンタ４２、メモリ部４３、比較部４４および告知部４５を備えている。監視部３６は、定電圧電源部３４からの電源を受けて照明器具１の寿命を監視する機能を有している。
【００２４】
クロック部４１は、基準信号を発振するクロック発振器である。カウンタ４２は、クロック部４１が発振するクロック信号に基づいて時間経過をカウントするタイマーである。メモリ部４３は、書き換え可能かつ不揮発性メモリにより実現されるメモリであり、器具１の寿命を示すカウント値が寿命情報としてあらかじめ記憶されている。すなわち、メモリ部４３は、定電圧電源部３４からの電源供給が止まった場合でも記憶データを保持する機能を持っている。メモリ部４３は、器具１の寿命を示すカウント値にマージンを見込んだ値、すなわち、製品寿命の数ヶ月程度遡ったカウント値を記憶してもよい。この場合、製品寿命が到来する前の段階でユーザに対し寿命を告知することができる。なお、定電圧電源部３４が電源３０ではなく一次電池などにより監視部３６の起動電源を生成する場合は、メモリ部４３は不揮発性メモリではなく揮発性メモリであってもよい。
【００２５】
比較部４４は、カウンタ４２のカウント値とメモリ部４３に記憶されたカウント値とを比較する比較器である。比較部４４は、カウンタ４２のカウント値がメモリ部４３に記憶されたカウント値を超えると、告知部３６にトリガー信号を送る機能を有する。告知部４５は、例えばブザーやランプなどユーザに寿命を知らせる手段を備えたユーザインターフェースである。告知部４５は、比較部４４からトリガー信号を受けると、例えば自身に備えられたブザーを鳴動する等によりユーザに照明器具１の寿命到来（または寿命が近いこと）を報知する。なお、告知部４５は、比較部４４からトリガー信号を受けた場合に、告知信号を生成して出力するように構成してもよい。この場合、器具１のシャーシ１１の外から見える場所に発光ダイオードなどを配設し、当該告知信号により発行するように接続することで、ユーザに対し視覚的に器具１の寿命到来を知らせることができる。告知部４５による報知は、ブザーなどの聴覚的な報知に加えて、ランプ手段による視覚的な報知など、さまざまなものを用いることができる。
【００２６】
なお、監視部３６には、メモリ部４３の記憶内容の全部または一部を消去するリセット端子ＲＳＴが備えられている。例えば、器具１を初期不良交換などにより大幅修理を施したような場合に器具１の製品寿命が延びる場合がある。かかる場合、リセット端子ＲＳＴをグラウンドまたは電源とオンオフする等により、メモリ部４３の記憶内容のうち、カウンタ４２のカウント値のみを初期化することで、より正確に製品寿命を管理することが可能となる。
【００２７】
ここで、図３および図４を参照して、この実施形態の電源端子台２０を備えた器具１の動作を説明する。
【００２８】
電源線が電源線端子２１に接続され、図示しないスイッチがオンとなることによって電源３０が電源線端子２１と接続されると、導線２６を通じて送り電源線端子２２に電源が供給される。送り電源線端子２２に電源が供給されると、器具１とは異なる器具１ａ（送りの器具）に電源が供給される。器具１ａは、例えば器具１に隣接して配置された照明器具である。
【００２９】
次いで、導線２６を通じて負荷線端子２３に電源が供給される。負荷線端子２３は、負荷線を介して負荷３２と接続されており、負荷線端子２３に電源が供給されると負荷３２が起動される。負荷３２は、例えばインバータ３２ａやランプ３２ｂなどから構成されるランプ装置であり、光を発するランプ３２ｂだけでなくインバータ３２ａや、さらには負荷線など、器具１において電力を消費しうる要素全てを含むものとする。
【００３０】
そして、電源は導線２６を介して定電圧電源部３４に供給され、監視部３６に所定の電圧が印加される。監視部３６に電圧が印加されると、クロック部４１が基準信号の生成を開始する。クロック部４１は、生成した基準信号をカウンタ４２や他の論理回路に与える。基準信号が生成されると、カウンタ４２は、所定のクロックでカウントを開始してカウント値を積算し、メモリ部４３に積算情報として記録・更新する。カウンタ４２がカウント値をメモリ部４３に記録・更新するのは、電源３０が切断された場合（ユーザがランプ３２ｂを消灯した場合）に最後のカウント値を記憶して照明器具１の総点灯時間を得るためである。仮に、定電圧電源部３４が電源３０ではなく一次電池などにより監視部３６の電源を生成する場合は、電源３０の供給の有無にかかわらず監視部３６は稼動を維持できる。かかる場合は、必ずしもカウント値をメモリ部３２に記録・更新する必要はなくなる。
【００３１】
比較部４４は、カウンタ４２のカウント値と、メモリ部４３にあらかじめ記憶された照明器具１の寿命時間（あるいは当該寿命時間にマージンをとった時間）に対応するカウント値とを比較する。比較の結果、比較時点でのカウント値が、あらかじめメモリ部４３に記憶された寿命等に対応するカウント値を超えた場合、比較部４４はトリガー信号を生成して告知部４５に送る。トリガー信号を受けた告知部４５は、例えば自身に備えられたブザーを鳴動する等によりユーザに寿命時間の到来を告知する。
【００３２】
ここで、告知部４５は、トリガー信号を受けた後直ちに報知を行ってもよいし、トリガー信号受付後所定のタイミングで報知を行ってもよい。例えば、トリガー信号受付後、電源３０からの電源供給がオフからオンに切り替わったタイミングで報知してもよい。この場合、ユーザは照明器具を次に点灯したような場合に報知が行われるので、ユーザが容易に認識することができる。また、トリガー信号受付後、電源３０からの電源供給がオフに切り替わったタイミングで報知してもよい。この場合、ユーザは照明器具を消灯したような場合に報知が行われる。特に報知がランプ手段によるものである場合、照明器具消灯後にランプ手段を点灯することで、ユーザが容易に認識することができる。
【００３３】
このように、この実施形態の電源端子台２０は、電源線が接続される電源線端子２１を、送り電源線を接続する送り電源線端子２２、負荷線を介して負荷３２に電源を供給する負荷線端子２３、および定電圧電源部３４の順に導線２６で接続したので、隣接する照明器具に電源を供給する電源に優先度を持たせて電源を供給することができる。また、この実施形態の電源端子台２０は、照明器具が動作した総時間に対応するカウント値を生成するカウンタと、メモリ部４３に記憶した所定のカウント値とを比較する比較部４４とを備え、比較結果に基づいて告知部４５が告知動作をするように構成したので、照明器具の総使用時間が所定の寿命時間等に達したことをユーザに知らせることができる。
【００３４】
次に、図５を参照して、他の実施形態に係る電源端子台について説明する。図５は、第２の実施形態に係る電源端子台の機能構成を示すブロック図である。図５に示す電源端子台１２０は、図４に示す第１の実施形態に係る電源端子台２０の構成に検出部４６をさらに備えたものである。そこで、第１の実施形態の電源端子台と共通する構成については共通する符号を付して示し、重複する説明を省略する。
【００３５】
検出部４６は、定電圧電源部３４と負荷線端子２３との間の導線２６上に設けられたセンサである。検出部４６は、負荷３２に供給される電圧や電流を検知して負荷３２全体の入力特性を監視する機能を有している。検出部４６は、得られた負荷３２の入力特性を監視部３６の比較部４４に渡す。
【００３６】
続いて、図５を参照して、この実施形態の電源端子台１２０を備えた照明器具１の動作を説明する。電源３０が電源線端子２１と接続されてから定電圧電源部３４が監視部３６に電圧を印加するまでの電源系の動作は第１の実施形態に係る電源端子台２０と共通するから、重複する説明を省略する。
【００３７】
この実施形態では、検出部４６を介して負荷線端子２３に電源が供給される。検出部４６は、負荷線を通じて負荷３２に供給される入力電圧や入力電流などを監視してそのデータを監視部３６の比較部４４に送る。ここで、メモリ部４３には、負荷３２の入力特性の経年変化データが特性変化情報としてあらかじめ記憶されているものとする。
【００３８】
比較部４４は、検出部４６から送られたデータとメモリ部４３に記憶された経年変化データとを比較する。比較の結果、検出部４６から送られるデータが負荷３２の寿命または寿命に近い状態を示すものである場合、比較部４４は、告知部４５に対してトリガー信号を送る。トリガー信号を受けた告知部４５は、自身に備えられたブザーを鳴動してユーザに寿命時間の到来を告知する。したがって、カウンタ４２のカウント値がメモリ部４３に記憶された製品寿命に対応するカウント値に達していなくても、負荷３２の状態に応じた告知が可能となる。
【００３９】
なお、図５に示す電源端子台１２０では、カウンタ４２によるカウント値の比較と検出部４６による入力特性の比較とをあわせて行っているが、これには限定されない。クロック部４１およびカウンタ４２を省略して、検出部４６から送られる入力特性のみに基づいて、負荷３２の寿命、引いては照明器具１の製品寿命の到来を告知するように構成してもよい。
【００４０】
このように、この実施形態の電源端子台１２０は、負荷３２に供給される入力電圧や入力電流などを直接監視して製品寿命の判定の基礎とするので、単なる経年変化だけに止まらず故障などによる製品寿命の到来にも対応することができる。
【００４１】
次に、図６を参照して、他の実施形態に係る電源端子台について説明する。図６は、第３の実施形態に係る電源端子台の機能構成を示すブロック図である。図６に示す電源端子台２２０は、図４に示す第１の実施形態に係る電源端子台２０の構成にセンサ部４７をさらに備えたものである。そこで、第１の実施形態の電源端子台と共通する構成については共通する符号を付して示し、重複する説明を省略する。
【００４２】
センサ部４７は、電源端子台２２０の筐体内に設けられた環境センサであり、例えば温度センサである。センサ部４７は、電源端子台２２０の周囲の温度環境を検知して監視部３６に温度データを送る機能を有する。なお、センサ部４７は、導線２６を介して負荷３２（例えばインバータ３２ａ）の温度を間接的に検出するように構成してもよい。ここで、メモリ部４３には、負荷３２の経年変化による温度変化データが温度変化情報としてあらかじめ記憶されているものとする。
【００４３】
続いて、図６を参照して、この実施形態の電源端子台２２０を備えた器具１の動作を説明する。電源３０が電源線端子２１と接続されてから負荷線を通じて負荷３２に供給されるまでは第１の実施形態に係る電源端子台２０と共通するから、重複する説明を省略する。
【００４４】
センサ部４７は、電源端子台２２０周辺の温度を検出して監視部３６の比較部４４に温度データを送る。比較部４４は、センサ部４７から送られた温度データとメモリ部４３に記憶された温度変化データとを比較する。比較の結果、センサ部４７から送られる温度データが負荷３２の寿命や異常を示すものである場合、比較部４４は、告知部４５に対してトリガー信号を送る。トリガー信号を受けた告知部４５は、自身に備えられたブザーを鳴動してユーザに寿命時間の到来を告知する。
【００４５】
なお、図６に示す電源端子台２２０においても、カウンタ４２によるカウント値の比較と検出部４６による入力特性の比較とをあわせて行っているが、これには限定されない。クロック部４１およびカウンタ４２を省略して、センサ部４７から送られる温度データのみに基づいて、負荷３２の寿命、引いては照明器具１の製品寿命の到来を告知するように構成してもよい。
【００４６】
このように、この実施形態の電源端子台２２０は、周辺の温度環境を間接的に監視して製品寿命の判定の基礎とするので、単なる経年変化だけに止まらず故障などによる製品寿命の到来にも対応することができる。
【００４７】
次に、図７を参照して、他の実施形態に係る電源端子台について説明する。図７は、第４の実施形態に係る電源端子台の機能構成を示すブロック図である。図７に示す電源端子台３２０は、図４に示す第１の実施形態に係る電源端子台２０の構成にスイッチ部４８をさらに備えたものである。そこで、第１の実施形態の電源端子台と共通する構成については共通する符号を付して示し、重複する説明を省略する。スイッチ部４８は、負荷線端子２３が接続された導線２６を開閉する。すなわち、スイッチ部４８は、監視部３６からの指示に基づき、負荷３２への電源供給をオンオフする作用をする。
【００４８】
続いて、図７を参照して、この実施形態の電源端子台３２０を備えた器具１の動作を説明する。電源３０が電源線端子２１と接続されてから定電圧電源部３４が監視部３６に電圧を印加するまでの電源系の動作は第１の実施形態に係る電源端子台２０と共通するから、重複する説明を省略する。以下の説明において、スイッチ部４８は、初期状態として負荷線端子２３に向かう導線２６をオンとしている状態、すなわち負荷３２に電源を供給している状態にあるものとして説明する。この実施形態では、スイッチ部４８を介して負荷線端子２３に電源が供給される。すなわち、スイッチ部４８は、監視部３６からの指示に基づいて負荷３２への電源供給を制御する。
【００４９】
比較部４４は、カウンタ４２のカウント値と、メモリ部４３にあらかじめ記憶された照明器具１の寿命時間（あるいは当該寿命時間にマージンをとった時間）に対応するカウント値とを比較する。比較の結果、比較時点でのカウント値が、あらかじめメモリ部４３に記憶された寿命等に対応するカウント値を超えた場合、比較部４４は、告知部４５に対してトリガー信号を送る。トリガー信号を受けた告知部４５は、ブザーの鳴動に代えて、スイッチ部４８に対して、負荷線端子２３への電源供給停止を指示する。指示を受けると、スイッチ部４８は、負荷線端子２３に向かう導線２６を開放して（オフにして）負荷３２への電源供給を止める。なお、告知部４５は、スイッチ部４８に負荷線端子２３への電源供給停止を指示するとともに、自身に備えられたブザーを併せて鳴動してユーザに寿命時間の到来を告知するように構成してもよい。
【００５０】
このように、この実施形態の電源端子台３２０は、製品寿命の判定の結果ユーザに告知する方法として直接寿命が到来した負荷への電源供給を断つように構成したので、火災などを未然に防ぐことができる。
【００５１】
次に、図８を参照して、他の実施形態に係る電源端子台について説明する。図８は、第５の実施形態に係る電源端子台の機能構成を示すブロック図である。この実施形態は、第１の実施形態に係る電源端子台２０のうち、定電圧電源部３４および監視部３６を別体の筐体に収納したものである。そこで、図１に示す電源端子台２０と共通する構成については同一の符号を付して示し、重複する説明を省略する。
【００５２】
図８に示すように、この実施形態の電源端子台４２０ａは、電源線を中継する機能のみを有する一般的な電源端子台である。電源端子台４２０ａには、電源線端子２１、送り電源線端子２２および負荷線端子２３が備えられている。また、電源線端子２１、送り電源線端子２２および負荷線端子２３は、この順序で導線２６により互いに接続されている。他方、この実施形態の電源端子台４２０ｂは、定電圧電源部４３４および監視部４３６を備えている。定電圧電源部４３４および監視部４３６は、それぞれ第１の実施形態における定電圧電源部３４および監視部３６と対応し、共通の機能を有している。同様に、監視部４３６は、第１の実施形態におけるクロック部４１、カウンタ４２、メモリ部４３、比較部４４、告知部４５およびリセット端子ＲＳＴとそれぞれ対応するクロック部４４１、カウンタ４４２、メモリ部４４３、比較部４４４、告知部４４５お呼びリセット端子ＲＳＴを備えている。
【００５３】
電源端子台４２０ｂは、電源端子台４２０ａの負荷線端子２３に直接接続可能な構造を有する入力端子４２３ａを備えており、また負荷線端子２３と共通した構造の負荷線端子４２３ｂを備えている。すなわち、電源端子台４２０ｂは、電源端子台４２０ａおよび負荷３２の間に介挿されるように構成されている。
【００５４】
この実施形態の電源端子台４２０ｂによれば、電源中継機能しか持たない一般的な電源端子台に直接接続可能な形状・構成とし、第１の実施形態に係る電源端子台の機能を備えたので、通常の電源端子台を有する照明器具に事後的に寿命管理機能を付加することが可能になる。なお、上記説明では、電源端子台４２０ｂは第１の実施形態に係る電源端子台２０の構成および機能を有するものとして説明したが、これには限定されない。すなわち、第２ないし第４の実施形態に係る電源端子台１２０ないし３２０の構成および機能を有するものとしてもよい。
【００５５】
次に、図９を参照して、他の実施形態に係る電源端子台について説明する。図９は、第６の実施形態に係る電源端子台の機能構成を示すブロック図である。この実施形態に係る電源端子台５２０ｂは、第５の実施形態に係る電源端子台４２０ｂに備えられた入力端子４２３ａおよび負荷線端子４２３ｂに代えて、入力端子５２３を備えたものであり、第１ないし第３の実施形態のいずれかに係る電源端子台の機能を有するものである。この実施形態に係る電源端子台によれば、負荷３２への電源供給の切断を行うことができないものの、入力端子５２３から負荷線端子２３に導線を結線するだけで設置が完了する。したがって、第５の実施形態の電源線端子よりも簡易に設置することができる。
【００５６】
次に、図１０を参照して、本発明の実施形態に係る照明装置について説明する。図１０は、本発明の第７の実施形態に係る照明器具２の機能構成を示すブロック図である。この実施形態の照明器具は、第１ないし第５の実施形態に係る電源端子台を備えるとともに、表示部６４５を有している。表示部６４５は、監視部３６の告知部４５と接続された発光ダイオード素子などであり、ユーザに視覚的に製品寿命を告知する作用をする。告知部４５は、自身のブザーの鳴動に代えて表示部６４５に表示信号を送り、表示部６４５は、告知部４５からの表示信号に応じて点灯する。なお、告知部４５は、表示部６４５に表示信号を送るとともに自身のブザーの鳴動を行ってもよい。
【００５７】
このように、この実施形態の照明器具によれば、監視部を備えた電源端子台と外部から視認しうるように設けられた表示部を備えたので、照明器具の寿命到来等の際にユーザが容易に認識することができる。なお、表示部６４５は、告知部４５から指示を受けた後点灯を継続してもよいし、バッテリをさらに備えて定電圧電源部３４に電源が供給されていない状態の時に点灯するように構成してもよい。これは、負荷３２に電源が供給されてランプ３２ｂが点灯すると、小型の表示部の点灯を認識しづらくなることから、ランプ３２ｂの消灯時にのみ表示部６４５を点灯させてユーザが認識しやすくする効果が期待できる。
【００５８】
なお、この実施形態の照明器具では、表示部６４５が点灯することによりユーザに製品寿命を告知しているが、これには限定されない。例えば、告知部４５がメモリ部４３からカウンタ４２による現在のカウント値および製品寿命時間に対応するカウント値を直接読み出し、その差分値に基づいて残りの製品寿命情報を表示部６４５に送るように構成してもよい。この場合、表示部６４５にデジタル表示可能な発光ダイオード素子を備えることで、残りの製品寿命時間などを表示することが可能となる。
【００５９】
次に、図１１を参照して、本発明の実施形態に係る照明装置について説明する。図１１は、本発明の第８の実施形態に係る照明器具３の機能構成を示すブロック図である。この実施形態の照明器具は、第３の実施形態に係る電源端子台を備えるとともに、負荷３２としてのインバータ３２ａやランプ３２ｂと近接して配設されたセンサ部７４７を有している。センサ部７４７は、第３の実施形態におけるセンサ部４７と対応し、負荷３２周辺の温度変化を検知する。すなわち、この実施形態の器具３では、温度を検出するセンサを電源端子台内部ではなく、監視対象たる負荷３２の近傍に配設したものである。この実施形態によれば、負荷３２の温度変化をより正確に検知することができる。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６１】
【図１】本発明の第１の実施形態に係る照明器具の外観を示す図である。
【図２】本発明の第１の実施形態に係る電源端子台の外観を示す斜視図である。
【図３】本発明の第１の実施形態に係る電源端子台の電源系の回路構成を示す模式図である。
【図４】本発明の第１の実施形態に係る電源端子台の機能構成を示すブロック図である。
【図５】本発明の第２の実施形態に係る電源端子台の機能構成を示すブロック図である。
【図６】本発明の第３の実施形態に係る電源端子台の機能構成を示すブロック図である。
【図７】本発明の第４の実施形態に係る電源端子台の機能構成を示すブロック図である。
【図８】本発明の第５の実施形態に係る電源端子台の機能構成を示すブロック図である。
【図９】本発明の第６の実施形態に係る電源端子台の機能構成を示すブロック図である。
【図１０】本発明の第７の実施形態に係る照明器具の機能構成を示すブロック図である。
【図１１】本発明の第８の実施形態に係る照明器具の機能構成を示すブロック図である。
【符号の説明】
【００６２】
１…照明器具
２０…電源端子台
２１…電源線端子
２２…送り電源線端子
２３…負荷線端子
２４…アース線端子
２６…導線
３０…電源
３２…負荷
３４…定電圧電源部
３６…監視部
【図１】
2008235113.tif 000003
【図２】
2008235113.tif 000004
【図３】
2008235113.tif 000005
【図４】
2008235113.tif 000006
【図５】
2008235113.tif 000007
【図６】
2008235113.tif 000008
【図７】
2008235113.tif 000009
【図８】
2008235113.tif 000010
【図９】
2008235113.tif 000011
【図１０】
2008235113.tif 000012
【図１１】
2008235113.tif 000013